(57)【要約】【課題】携帯端末の情報を外部の装置で表示する場合に、その表示方向を最適に制御できる表示システム及び方法を提供する。【解決手段】携帯端末は、表示装置との接続時、短辺が水平方向を向いている縦向き状態、あるいは長辺が水平方向を向いている横向き状態に対応して画像を表示する自動レイアウトが可能であるか否かを判定し、自動レイアウトに対応している場合は縦向き状態または横向き状態に対応する表示装置の状態に対応した画像を表示するための画像データを表示装置に送信する。また、携帯端末は、自動レイアウトに対応していない場合、予め決められた表示方向の画像を表示するための画像データを表示装置へ送信する。【選択図】図３
2013125508.tif 000002
【特許請求の範囲】
【請求項１】
外部機器と情報の送受信を可能に接続するインタフェースを備えた携帯端末と、
前記携帯端末と情報の送受信を可能に接続する前記インタフェース及び前記携帯端末よりも画面サイズが大きい表示部を備えた表示装置と、
を有し、
前記携帯端末は、
前記インタフェースを介した前記表示装置との接続時、短辺が水平方向を向いている縦向き状態、あるいは長辺が水平方向を向いている横向き状態に対応して画像を表示する自動レイアウトが可能であるか否かを判定し、
前記自動レイアウトに対応している場合、前記縦向き状態または前記横向き状態に対応する前記表示装置の状態に対応した画像を表示するための画像データを前記表示装置に送信し、
前記自動レイアウトに対応していない場合、予め決められた表示方向の画像を表示するための画像データを前記表示装置へ送信する表示システム。
【請求項２】
前記携帯端末は、
前記インタフェースを介した前記表示装置との接続時、前記表示装置に拡大した画像を表示させるための拡大処理を実行し、該拡大処理後の画像データを前記表示装置へ送信する請求項１記載の表示システム。
【請求項３】
前記携帯端末は、
前記携帯端末の画面解像度に対応した画像データを前記表示装置の画面解像度に対応した画像データに変換する請求項２記載の表示システム。
【請求項４】
前記携帯端末は、
前記携帯端末の画面解像度に対応した画像データを、前記表示装置の画面解像度以下であり、前記携帯端末の画面解像度の整数倍の画像データに変換する請求項２記載の表示システム。
【請求項５】
前記表示装置は、
前記表示装置の傾きや動きに応じた値を出力する傾き検知手段を有する請求項１から４のいずれか１項記載の表示システム。
【請求項６】
請求項１から５のいずれか１項記載の表示システムが備える表示装置と接続可能な携帯端末。
【請求項７】
請求項１から５のいずれか１項記載の表示システムが備える携帯端末と接続可能な表示装置。
【請求項８】
外部機器と情報の送受信を可能に接続するインタフェースを備えた携帯端末と、
前記携帯端末と情報の送受信を可能に接続する前記インタフェース及び前記携帯端末よりも画面サイズが大きい表示部を備えた表示装置と、
を前記インタフェースを介して接続するときに前記携帯端末の情報を前記表示装置で表示するための表示方法であって、
前記携帯端末が、
前記インタフェースを介した前記表示装置との接続時、短辺が水平方向を向いている縦向き状態、あるいは長辺が水平方向を向いている横向き状態に対応して画像を表示する自動レイアウトが可能であるか否かを判定し、
前記自動レイアウトに対応している場合、前記縦向き状態または前記横向き状態に対応する前記表示装置の状態に対応した画像を表示するための画像データを前記表示装置に送信し、
前記自動レイアウトに対応していない場合、予め決められた表示方向の画像を表示するための画像データを前記表示装置へ送信する表示方法。
【発明の詳細な説明】
【技術分野】
【０００１】
本発明は携帯端末の情報を外部の装置に表示する表示システム及び方法に関する。
【背景技術】
【０００２】
近年、電話機能と情報処理機能とを備えた、いわゆるスマートフォンと呼ばれる高機能な携帯端末が普及してきている。スマートフォンは、小型、軽量であり、携帯し易い利点があるが、例えばテレビジョン放送や動画像を視聴する等、より大きい画面を利用したい場合がある。
【０００３】
その場合、スマートフォンを、該スマートフォンよりも画面サイズが大きい、例えば据え置き型、ノート型、タブレット型等のパーソナルコンピュータ、あるいはテレビジョン受像機と接続し、スマートフォンの表示画像をそれらの画面に表示させる方法が考えられる。
【０００４】
なお、携帯端末の情報をより画面が大きい表示装置で表示することは、例えば特許文献１にも記載されている。特許文献１では、携帯端末で表示する画像を外部表示デバイスに拡大表示させると共に、該携帯端末を入力デバイス（マウス）としても使用することが記載されている。
【０００５】
また、加速度センサの出力値に基づいて携帯端末の表示方向を変更することは、例えば特許文献２に記載され、加速度センサの出力値に基づいてタブレット型のコンピュータ（以下、タブレット端末と称す）の表示方向を変更することは、例えば特許文献３に記載されている。
【先行技術文献】
【特許文献】
【０００６】
【特許文献１】特開２０１０−１６５２８９号公報
【特許文献２】特開２０１０−２６３４３３号公報
【特許文献３】特開２００８−１３９７１１号公報
【発明の概要】
【発明が解決しようとする課題】
【０００７】
上述した特許文献１では、携帯端末の情報を外部表示デバイスに拡大表示することを示しているが、携帯端末や外部表示デバイスは、その傾きに関係なく画面の表示方向が固定である。
【０００８】
一方、特許文献２や３に記載されているように、携帯端末やタブレット端末に加速度センサを内蔵すれば、その出力値から携帯端末やタブレット端末の傾きを検出することが可能であり、該傾きに応じて表示方向を変更できる。但し、特許文献２や３に記載された構成は、携帯端末またはタブレット端末の表示方向を各々の装置に内蔵する加速度センサの出力値を用いて個別に制御するものであり、携帯端末とタブレット端末とを接続した場合にタブレット端末の表示方向を制御する方法については何も示していない。
【０００９】
本発明は上述したような背景技術が有する問題点を解決するためになされたものであり、携帯端末の情報を外部の装置で表示する場合に、その表示方向を最適に制御できる表示システム及び方法を提供することを目的とする。
【課題を解決するための手段】
【００１０】
上記目的を達成するため本発明の表示システムは、外部機器と情報の送受信を可能に接続するインタフェースを備えた携帯端末と、
前記携帯端末と情報の送受信を可能に接続する前記インタフェース及び前記携帯端末よりも画面サイズが大きい表示部を備えた表示装置と、
を有し、
前記携帯端末は、
前記インタフェースを介した前記表示装置との接続時、短辺が水平方向を向いている縦向き状態、あるいは長辺が水平方向を向いている横向き状態に対応して画像を表示する自動レイアウトが可能であるか否かを判定し、
前記自動レイアウトに対応している場合、前記縦向き状態または前記横向き状態に対応する前記表示装置の状態に対応した画像を表示するための画像データを前記表示装置に送信し、
前記自動レイアウトに対応していない場合、予め決められた表示方向の画像を表示するための画像データを前記表示装置へ送信する構成である。
【００１１】
一方、本発明の表示方法は、外部機器と情報の送受信を可能に接続するインタフェースを備えた携帯端末と、
前記携帯端末と情報の送受信を可能に接続する前記インタフェース及び前記携帯端末よりも画面サイズが大きい表示部を備えた表示装置と、
を前記インタフェースを介して接続するときに前記携帯端末の情報を前記表示装置で表示するための表示方法であって、
前記携帯端末が、
前記インタフェースを介した前記表示装置との接続時、短辺が水平方向を向いている縦向き状態、あるいは長辺が水平方向を向いている横向き状態に対応して画像を表示する自動レイアウトが可能であるか否かを判定し、
前記自動レイアウトに対応している場合、前記縦向き状態または前記横向き状態に対応する前記表示装置の状態に対応した画像を表示するための画像データを前記表示装置に送信し、
前記自動レイアウトに対応していない場合、予め決められた表示方向の画像を表示するための画像データを前記表示装置へ送信する方法である。
【発明の効果】
【００１２】
本発明によれば、携帯端末の情報を外部の装置で表示する場合に、その表示方向を最適に制御できる。
【図面の簡単な説明】
【００１３】
【図１】本発明の表示システムの一構成例を示すブロック図である。
【図２（ａ）】図１に示した携帯端末の一構成例を示すブロック図である。
【図２（ｂ）】図１に示した表示装置の一構成例を示すブロック図である。
【図３】図１に示した表示システムの処理手順の一例を示すシーケンス図である。
【図４】本発明の表示システムの他の構成例を示す模式図である。
【発明を実施するための形態】
【００１４】
次に本発明について図面を用いて説明する。
【００１５】
図１は、本発明の表示システムの一構成例を示すブロック図である。
【００１６】
図１に示すように、本発明の表示システムは、携帯端末１００と、該携帯端末１００よりも画面サイズが大きい表示部及びタッチパネルや入力キー等の入力部（不図示）を備えた表示装置２００とを有する。携帯端末１００と表示装置２００とは、ケーブル等により携帯端末１００と表示装置２００間で各種のデータが送受信可能に接続される。
【００１７】
携帯端末１００としては、例えば周知の電話機の機能とＰＤＡ（Personal Data AssistanceまたはPersonal Digital Assistants：個人向け携帯型情報通信機器）の機能をそれぞれ備えた、スマートフォンと呼ばれる携帯電話機がある。
【００１８】
表示装置２００としては、例えばタブレット型のパーソナルコンピュータがある。
【００１９】
携帯端末１００と表示装置２００とは、例えば映像や音声を送受信するためのＨＤＭＩ（High-Definition Multimedia Interface）や外部機器とデータを送受信するためのＵＳＢ（Universal Serial Bus）等の周知のインタフェース方式、あるいは専用のインタフェース回路を介して接続される。
【００２０】
図２（ａ）は、図１に示した携帯端末の一構成例を示すブロック図である。
【００２１】
図２（ａ）に示すように、本実施形態の携帯端末１００は、ＣＰＵ１０、ＲＯＭ１１、作業用メモリ１２、不揮発メモリ１３、無線機送受信部１４、ＬＥＤ部１５、キー入力部１６、キーバックライト１７、表示制御部１８、マイク２０、スピーカ２１、レシーバ２２、電源制御部２３、加速度センサ２４及び外部接続部２５を備え、それらがバス３０を介して互いに接続された構成である。表示制御部１８には表示部１９が接続され、電源制御部２３には携帯端末１００に所要の電力を供給する主電源である二次電池（不図示）が接続され、外部接続端子２５には図１に示した表示装置２００が接続される。
【００２２】
ＲＯＭ（Read Only Memory）１１は、ＣＰＵ１０によって各種の処理を実行するための制御用プログラムが格納された不揮発性のメモリである。ＣＰＵ１０は、ＲＯＭ１１に格納された制御用プログラムにしたがって処理を実行することで、例えば周知のスマートフォンとしての機能を実現すると共に、本発明の表示システムが備える、後述する携帯端末１００としての機能を実現する。
【００２３】
作業用メモリ１２は、ＣＰＵ１０による制御用プログラムにしたがった処理で必要なデータを一時的に保持する。作業用メモリ１２には、例えばＲＡＭ（Random Access Memory）が用いられる。
【００２４】
不揮発メモリ１３は、電話帳データ、各種設定値、ユーザーデータ等が格納される、記憶内容が書き換え可能な不揮発性のメモリである。
【００２５】
無線機送受信部１４は、無線通信により音声や画像等の各種データを送受信するための周知の無線回路である。
【００２６】
ＬＥＤ部１５は、例えば異なる色で発光する複数のＬＥＤ（Light Emitting Diode）を備え、各ＬＥＤの点滅パターン等を変更することで着信や電子メールの受信等をユーザへ通知するために用いられる電子部品である。
【００２７】
表示部１９は、ＣＰＵ１０から供給される画像情報や映像信号にしたがって画像を表示する、液晶ディスプレイや有機ＥＬパネル等である。表示部１９の表示面上には、表示された画像に基づいて、文字、数字、記号等の情報を携帯端末１００に入力するためのタッチパネルが設置されていてもよい。
【００２８】
表示制御部１８は、表示部１９に画像や映像を表示させるための制御を行う制御回路である。
【００２９】
キー入力部１６は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００３０】
キーバックライト１７は、入力キーの照光やイルミネーションを実現する発光部である。キーバックライト１７は複数色の発光が可能である。
【００３１】
マイク２０、スピーカ２１、レシーバ２２は、携帯端末１００を電話機として利用する際に使用される音声通話用の音響部品である。送話者の音声はマイク２０により入力され、相手話者の音声はスピーカ２１またはレシーバ２２から出力される。
【００３２】
電源制御部２３は、携帯端末１００に対する二次電池１０１からの電源供給を制御する。
【００３３】
加速度センサ２４は、携帯端末１００の傾きや動きに応じた値を出力する傾き検知手段であり、表示画面の上下方向を決定するために使用される。加速度センサ２４には、周知の機械式、光学式、半導体式のいずれのセンサを用いてもよい。
【００３４】
外部接続部２５は、ＵＳＢやＨＤＭＩ等に対応したコネクタを備え、表示装置２００とデータの送受信が可能に接続するインタフェースである。外部接続部２５は、上述したように図１に示した表示装置２００と接続するための専用のインタフェース回路を備えていてもよい。
【００３５】
図２（ｂ）は、図１に示した表示装置の一構成例を示すブロック図である。
【００３６】
図２（ｂ）に示すように、本実施形態の表示装置２００は、ＣＰＵ１１０、ＲＯＭ１１１、作業用メモリ１１２、不揮発メモリ１１３、キー入力部１１６、キーバックライト１１７、表示制御部１１８、電源制御部１２３、加速度センサ１２４及び内部接続部１２５を備え、それらがバス１３０を介して互いに接続された構成である。表示制御部１１８には表示部１１９が接続され、電源制御部１２３には表示装置２００に所要の電力を供給する主電源である二次電池（不図示）が接続され、内部接続部１２５には、例えば図２（ａ）に示した携帯端末１００が接続される。
【００３７】
ＲＯＭ１１１は、ＣＰＵ１１０によって各種の処理を実行するための制御用プログラムが格納された不揮発性のメモリである。ＣＰＵ１１０は、ＲＯＭ１１１に格納された制御用プログラムにしたがって処理を実行することで、例えばタブレット端末としての機能を実現すると共に、本発明の表示システムが備える、後述する表示装置２００としての機能を実現する。
【００３８】
作業用メモリ１１２は、ＣＰＵ１１０による制御用プログラムにしたがった処理で必要なデータを一時的に保持する。作業用メモリ１１２には、例えばＲＡＭが用いられる。
【００３９】
不揮発メモリ１１３は、各種設定値、ユーザーデータ等が格納される、記憶内容が書き換え可能な不揮発性のメモリである。
【００４０】
内部接続部１２５は、外部機器と接続するためのＵＳＢや画像や音声等を送受信するＨＤＭＩ等に対応したコネクタを備え、様々な機器との接続を可能にする。表示装置２００は、図２に示した携帯端末１００と内部接続部１２５を介して接続される。なお、内部接続部１２５には、上述したように図２（ａ）に示した携帯端末１００と接続するための専用のインタフェース回路を備えていてもよい。
【００４１】
表示部１１９は、ＣＰＵ１１０から供給される画像情報や映像信号にしたがって画像を表示する、液晶ディスプレイや有機ＥＬパネル等である。表示部１１９の表示面上には、表示された画像に基づいて、文字、数字、記号等の情報を表示装置２００に入力するためのタッチパネルが設置されていてもよい。
【００４２】
表示制御部１１８は、表示部１１９に画像や映像を表示させるための制御を行う制御回路である。
【００４３】
キー入力部１１６は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００４４】
電源制御部１２３は、表示装置２００に対する二次電池（不図示）からの電源供給を制御する。
【００４５】
加速度センサ１２４は、表示装置２００の傾きや動きに応じた値を出力する傾き検知手段であり、表示画面の上下方向を決定するために使用される。加速度センサ１２４には、周知の機械式、光学式、半導体式のいずれのセンサを用いてもよい。
【００４６】
図２（ｂ）は、電話機能を備えていない表示装置２００の構成例を示しているが、表示装置２００には、図２（ａ）に示した携帯端末１００と同様に無線機送受信部１４、マイク２０、スピーカ２１、レシーバ２２等を有することで電話機能を備えていてもよい。
【００４７】
図３は、図１に示した表示システムの処理手順の一例を示すシーケンス図である。
【００４８】
図３に示す処理は、携帯端末１００が備えるＣＰＵ１０がＲＯＭ１１に格納された制御用プログラムにしたがって処理を実行し、表示装置２００が備えるＣＰＵ１１０がＲＯＭ１１１に格納された制御用プログラムにしたがって処理を実行することで実現される。
【００４９】
表示装置２００と接続されていない場合、携帯端末１００は、加速度センサ２４の出力値に基づいて自装置の傾きを検出し、携帯端末１００の短辺が水平方向を向いている縦向き状態、あるいは携帯端末１００の長辺が水平方向を向いている横向き状態に応じて表示部１９に表示する画像のレイアウトを変更する。以下では、携帯端末１００の縦向き状態に対応して表示する画像を縦レイアウトと称し、携帯端末１００の横向き状態に対応して表示する画像を横レイアウトと称す。通常、携帯端末１００がその傾きに応じて縦または横レイアウトを自動で表示するか否かは、携帯端末１００で動作するアプリケーションソフトウェアが自動レイアウトに対応しているか否かに依存する。自動レイアウトは、縦向き状態及び横向き状態に対応した画像表示が可能な機能を指す。なお、縦レイアウトと横レイアウトとは、画面部品の配列が等しい画像、すなわち同一画像である必要はなく、異なる画像であってもよい。
【００５０】
一方、携帯端末１００を表示装置２００と接続し、携帯端末１００の情報を表示装置２００に表示させる場合、図３に示すように、本実施形態の携帯端末１００は、まず携帯端末１００で動作しているアプリケーションソフトウェアが自動レイアウトに対応しているか否かを判定する。
【００５１】
自動レイアウトに対応している場合、携帯端末１００は表示装置２００に加速度センサ１２４の出力値を送信するよう要求する（センサ出力値要求）。表示装置２００は、携帯端末１００からの要求にしたがって加速度センサ１２４の出力値を携帯端末１００に送信する。表示装置２００は、携帯端末１００との接続を確認した時点で、加速度センサ１２４の出力値を携帯端末１００に送信してもよい。
【００５２】
携帯端末１００は、表示装置２００から受信した加速度センサ１２４の出力値に基づいて該表示装置２００の傾きを検出し、表示装置２００の短辺が水平方向を向いている縦向き状態か、あるいは表示装置２００の長辺が水平方向を向いている横向き状態かを判定し、表示装置２００の状態に対応する画像を選択し、該選択した画像を表示させるための画像データ（選択画像データ）を表示装置２００に送信する。例えば、表示装置２００が横向き状態の場合、携帯端末１００は横レイアウトの画像データを表示装置２００へ送信し、表示装置２００が縦向き状態の場合、携帯端末１００は縦レイアウトの画像データを表示装置２００へ送信する。
【００５３】
表示装置２００は、携帯端末１００から送信された横レイアウトまたは縦レイアウト用の画像データ（選択画像データ）にしたがって画像を表示する。
【００５４】
携帯端末１００で動作しているアプリケーションソフトウェアが自動レイアウトに対応していない場合、携帯端末１００は、該アプリケーションソフトウェアで表示する、予め決められた表示方向の画像を表示するための画像データ（固定画像データ）を表示装置２００へ送信する。その場合、表示装置２００は、携帯端末１００から送信された固定画像データに基づいて画像を表示すればよい。このとき、表示装置２００は、加速度センサ１２４の出力値に基づいて自装置の傾きを検出し、縦向き状態または横向き状態に応じて、携帯端末１００から送信された固定レイアウトの画像を縦向きまたは横向きで表示してもよい。
【００５５】
ところで、携帯端末１００とタブレット端末等の表示装置２００とでは、通常、画面サイズが異なるだけでなく画面解像度も異なり、携帯端末１００よりもタブレット端末の方が高い画面解像度（ドットピッチが小さい）を有している場合が多い。その場合、携帯端末１００の画面解像度に対応した画像データをそのままタブレット端末に送信すると、タブレット端末では携帯端末１００の画面よりも小さな画像が表示されてしまう。
【００５６】
そこで、本実施形態の携帯端末１００は、表示装置２００の傾きに応じて縦レイアウトまたは横レイアウトの画像データを選択すると共に、その画像を拡大して表示するための拡大処理を実行し、該拡大処理後の画像データを表示装置２００へ送信する。携帯端末１００で動作しているアプリケーションソフトウェアが自動レイアウトに対応していない場合、携帯端末１００は表示画像の拡大処理のみ実行してもよい。
【００５７】
表示画像の拡大方法としては、例えば携帯端末１００が備えるビデオコントローラにより加法混色等の周知の方法で画面解像度を変換する方法がある。この場合、携帯端末１００は、例えば携帯端末１００の画面解像度のアスペクト比を維持しつつ、表示部１１９の画面解像度まで表示画像を拡大すればよい。すなわち、携帯端末１００の画面解像度に対応した画像データを表示装置２００の画面解像度に対応した画像データに変換すればよい。但し、表示画像の一部をトリミングしてもよい。例えば携帯端末１００の画面解像度が４８０×８００である場合、画面解像度９００×１６００まで拡大し、縦方向の６０ドットをトリミングすることが考えられる。
【００５８】
また、拡大処理では、表示装置２００の画面解像度まで拡大する必要はなく、表示装置２００の画面解像度以下であれば、携帯端末１００の画面解像度の整数倍に設定してもよい。例えば携帯端末１００の画面解像度４８０×８００を画面解像度１０８０×１９２０の表示装置２００に表示する場合、２倍の画面解像度９６０×１６００まで拡大し、表示部１１９の中央に表示すればよい。
【００５９】
また、表示装置２００に周知の画面拡大縮小機能を備えている場合、携帯端末１００からは所定の（正規化された）画面解像度の画像データを表示装置２００へ送信し、表示装置２００が表示部１１９の画面解像度に応じて該画面拡大縮小機能を用いて所定の画面解像度に変換してもよい。なお、「正規化」とは、ＷＶＧＡ，ＳＶＧＡ，ＸＧＡ，ＳＸＧＡ等、周知の規格の画面解像度の画像データに変換する処理を指す。例えば、携帯端末１００が画面解像度８００×４００を画面解像度１２８０×７２０の画像データへ変換して表示装置２００へ送信し、表示装置２００が画面解像度１９２０×１０８０の画像データへさらに変換して表示すればよい。この場合、表示品質を維持しつつ携帯端末１００による画面解像度の拡大処理の負荷を軽減できる。但し、携帯端末１００から供給する正規化後の画面解像度が高いと（例えば、上記１２８０×７２０）、表示装置２００には画面解像度変換に高い処理能力が要求されるため、表示装置２００のコストが上昇してしまう。したがって、携帯端末１００から表示装置２００へ送信する画像データの画面解像度は表示装置２００の処理能力を考慮して決定することが望ましい。なお、この場合も、表示画像の一部をトリミングしてもよい。例えば携帯端末１００の画面解像度が８００×４８０である場合、縦方向の４０ドットをトリミングして画面解像度が７２０×４８０に正規化された画像データを表示装置２００へ送信し、表示装置２００が画面拡大縮小機能を用いて該画像データを拡大処理して表示すればよい。
【００６０】
なお、表示装置２００には、図１に示したようにケーブル等を用いて携帯端末１００と接続する構成だけでなく、例えば図４に示す表示装置２００のように、携帯端末１００を挿抜可能に収納する収納部を備え、該収納部に携帯端末１００を収納することで、該携帯端末１００との接続を可能にするインタフェースを備えた構成もある。図４は、表示装置２００の長辺から携帯端末１００を挿入する構成例を示しているが、表示装置２００の短辺から携帯端末１００を挿入する構成でもよい。また、図４では、携帯端末１００の表示部１９と表示装置２００の表示部１１９とが同一方向を向くように、携帯端末１００が表示装置２００に挿入される構成例を示しているが、携帯端末１００の表示部１９と表示装置２００の表示部１１９とが反対方向を向くように、携帯端末１００が表示装置２００に挿入される構成でもよい。
【００６１】
このような構成でも、携帯端末１００は、表示装置２００から送信される加速度センサ１２４の出力値に基づいて、表示装置２００に表示させる画像のレイアウトを変更する。例えば、表示装置２００が横向き状態の場合、携帯端末１００は横レイアウトの画像データを表示装置２００へ送信し、表示装置２００が縦向き状態の場合、携帯端末１００は縦レイアウトの画像データを表示装置２００へ送信すればよい。
【００６２】
図４に示すような表示装置２００に携帯端末１００を収納する構成では、表示装置２００と携帯端末１００の接続時にそれぞれの機器の画面向き（縦向き、横向き）の関係が一定である。したがって、表示装置２００に対する携帯端末１００の装着方向（収納時の画面向きの関係）が予め分かっていれば、携帯端末１００が備える加速度センサ２４の出力値でも表示装置２００の傾き（縦向き状態または横向き状態）が判別できる。この場合、表示装置２００に加速度センサ１２４を備える必要が無いため、表示装置２００のコストを低減できる。
【００６３】
本実施形態の表示システムによれば、携帯端末１００が自動レイアウトに対応している場合は、表示装置２００の状態（縦向き状態または横向き状態）に対応した画像を表示するための画像データを表示装置２００に送信し、自動レイアウトに対応していない場合は、予め決められた表示方向の画像を表示するための画像データを表示装置２００へ送信することで、携帯端末１００の情報を外部の装置（表示装置２００）で表示する場合に、その表示方向を最適に制御できる。また、表示装置２００に表示する画像を拡大することで、携帯端末１００よりも小さな画像が表示される不便が解消される。
【００６４】
なお、本実施形態では、表示装置２００が電源制御部１２３を備え、電源制御部１２３に接続される二次電池から所要の電力が供給される構成例を示したが、表示装置２００は、例えば携帯端末１００から外部接続部２５及び内部接続部１２５を介して電力を供給する構成でもよい。
（付記）
（付記１）
外部機器と情報の送受信を可能に接続するインタフェースを備えた携帯端末と、
前記携帯端末と情報の送受信を可能に接続する前記インタフェース及び前記携帯端末よりも画面サイズが大きい表示部を備えた表示装置と、
を有し、
前記携帯端末は、
前記インタフェースを介した前記表示装置との接続時、短辺が水平方向を向いている縦向き状態、あるいは長辺が水平方向を向いている横向き状態に対応して画像を表示する自動レイアウトが可能であるか否かを判定し、
前記自動レイアウトに対応している場合、前記縦向き状態または前記横向き状態に対応する前記表示装置の状態に対応した画像を表示するための画像データを前記表示装置に送信し、
前記自動レイアウトに対応していない場合、予め決められた表示方向の画像を表示するための画像データを前記表示装置へ送信する表示システム。
（付記２）
前記携帯端末は、
前記インタフェースを介した前記表示装置との接続時、前記表示装置に拡大した画像を表示させるための拡大処理を実行し、該拡大処理後の画像データを前記表示装置へ送信する付記１記載の表示システム。
（付記３）
前記携帯端末は、
前記携帯端末の画面解像度に対応した画像データを前記表示装置の画面解像度に対応した画像データに変換する付記２記載の表示システム。
（付記４）
前記携帯端末は、
前記携帯端末の画面解像度に対応した画像データを、前記表示装置の画面解像度以下であり、前記携帯端末の画面解像度の整数倍の画像データに変換する付記２記載の表示システム。
（付記５）
前記表示装置は、
前記携帯端末を挿抜可能に収納する収納部を備え、前記インタフェースが前記収納部に設けられた付記１から４のいずれか１項記載の表示システム。
（付記６）
前記表示装置は、
前記表示装置の傾きや動きに応じた値を出力する傾き検知手段を有する付記１から５のいずれか１項記載の表示システム。
（付記７）
付記１から６のいずれか１項記載の表示システムが備える表示装置と接続可能な携帯端末。
（付記８）
付記１から６のいずれか１項記載の表示システムが備える携帯端末と接続可能な表示装置。
（付記９）
外部機器と情報の送受信を可能に接続するインタフェースを備えた携帯端末と、
前記携帯端末と情報の送受信を可能に接続する前記インタフェース及び前記携帯端末よりも画面サイズが大きい表示部を備えた表示装置と、
を前記インタフェースを介して接続するときに前記携帯端末の情報を前記表示装置で表示するための表示方法であって、
前記携帯端末が、
前記インタフェースを介した前記表示装置との接続時、短辺が水平方向を向いている縦向き状態、あるいは長辺が水平方向を向いている横向き状態に対応して画像を表示する自動レイアウトが可能であるか否かを判定し、
前記自動レイアウトに対応している場合、前記縦向き状態または前記横向き状態に対応する前記表示装置の状態に対応した画像を表示するための画像データを前記表示装置に送信し、
前記自動レイアウトに対応していない場合、予め決められた表示方向の画像を表示するための画像データを前記表示装置へ送信する表示方法。
（付記１０）
前記携帯端末が、
前記インタフェースを介した前記表示装置との接続時、前記表示装置に拡大した画像を表示させるための拡大処理を実行し、該拡大処理後の画像データを前記表示装置へ送信する付記９記載の表示方法。
（付記１１）
前記携帯端末が、
前記携帯端末の画面解像度に対応した画像データを前記表示装置の画面解像度に対応した画像データに変換する付記１０記載の表示方法。
（付記１２）
前記携帯端末が、
前記携帯端末の画面解像度に対応した画像データを、前記表示装置の画面解像度以下であり、前記携帯端末の画面解像度の整数倍の画像データに変換する付記１０記載の表示方法。
【符号の説明】
【００６５】
１０、１１０    ＣＰＵ
１１、１１１    ＲＯＭ
１２、１１２    作用用メモリ
１３、１１３    不揮発メモリ
１４    無線機送受信部
１５    ＬＥＤ部
１６、１１６    キー入力部
１７、１１７    キーバックライト
１８、１１８    表示制御部
１９、１１９    表示部
２０    マイク
２１    スピーカ
２２    レシーバ
２３、１２３    電源制御部
２４、１２４    加速度センサ
２５    外部接続部
３０、１３０    バス
１００    携帯端末
１２５    内部接続部
２００    表示装置
【図１】
2013125508.tif 000003
【図２（ａ）】
2013125508.tif 000004
【図２（ｂ）】
2013125508.tif 000005
【図３】
2013125508.tif 000006
【図４】
2013125508.tif 000007